(57)【要約】【課題】構造が簡素化され、塗布具の汚れを伴うことなしに容器内の内容物を最後まで使いきることができる使い勝手のよい化粧料容器を提案する。【解決手段】しごき部材（２）を内装する容器本体（１）と、容器本体（１）の口部に着脱自在に固定保持され該容器本体を密閉するキャップ（３）と、このキャップ（３）に保持されしごき部材を通過させて適量の内容物の取り出しを可能とする塗布具（４）とからなる容器において、前記キャップ（３）に容器の内外に通じる貫通孔（３ａ）を設け、この貫通孔（３ａ）にスライド可能に塗布具（４）を抜け止め保持する。【選択図】        図１
2005021185.tif 000002
【特許請求の範囲】
【請求項１】
しごき部材を内装する容器本体と、容器本体の口部に着脱自在に固定保持され該容器本体を密閉するキャップとからなり、このキャップに保持されしごき部材を通過させて適量の内容物の取り出しを可能とする塗布具を備えた容器であって、
前記キャップに容器の内外に通じる貫通孔を設け、この貫通孔にスライド可能に塗布具を抜け止め保持してなることを特徴とする塗布具を備えた化粧料容器。
【請求項２】
塗布具は、抜け止め用のストッパーを有しキャップの貫通孔に沿いしごき部材に至るまでの間でスライド可能なロッドと、このロッドの先端部に固定保持されスライド代を残したままで容器本体の底部に到達して内容物を塗布可能に保持する塗布部からなる、請求項１記載の化粧料容器。
【発明の詳細な説明】
【０００１】
【発明の属する技術分野】
本発明は、マスカラやアイライナー等の化粧料を入れておくのに便利な塗布具付きの化粧料容器に関するものである。
【０００２】
【従来の技術】
マスカラやアイライナー等の化粧料を入れる容器は、容器本体を密閉するキャップに塗布具が備えられていて、キャップを取り外し塗布具を容器内から引き抜くことで内容物の塗布を可能としている。
【０００３】
上記の塗布具は具体的には一定の長さを有するロッドとこのロッドの先端部に固定保持されたブラシ等の塗布部にて構成されているのが一般的であるが、容器内の内容物が少なくなると塗布具が内容物まで届かず最後まで使いきることができない場合があること、また、容器の口部には塗布部に付着した内容物を拭い取り内容物の付着量を適量に調整するしごき部材が配置されているもののマスカラやアイライナーは比較的粘度が高く塗布具を支えるロッド部分に内容物が付着した場合にはしごき部材でも拭い取ることができず汚れやすいこと、さらに、内容物を再度、塗布部に付着させるには、該塗布部をロッドとともに容器内に挿入しキャップをねじ込む作業を必要とし使い勝手が悪いところに問題を残していた。
【０００４】
この点に関する先行技術としては、塗布部をスプリング等の弾性部材を介し保持し容器の底部まで届くようにした粘性化粧料塗布具（例えば特許文献１参照）や装脱したキャップを回転させることで塗布軸を該キャップに対して進退移動させる仕組みとした液状化粧料容器が提案されている（例えば特許文献２参照）。
【０００５】
【特許文献１】
実開平４−４１３１９号公報
【０００６】
【特許文献２】
実公閉７−４７０５３号公報
【０００７】
上記文献に開示されている塗布具や容器は、容器内の内容物の残量にかかわりなく塗布部に内容物を付着させることができるもので、内容物を最後まで使いきるには確かに改善されている。しかしながら、かかる塗布具や容器は部品点数が多く構造も複雑化しており、コスト的にも見合わないものとなっている。
【０００８】
【発明が解決しようとする課題】
本発明の課題は、構造の簡素化を図ったうえで上述のような従来の問題の悉くを解消できる新規な化粧料容器を提案するところにある。
【０００９】
【課題を解決するための手段】
本発明は、しごき部材を内装する容器本体と、容器本体の口部に着脱自在に固定保持され該容器本体を密閉するキャップとからなり、このキャップに保持されしごき部材を通過させて適量の内容物の取り出しを可能とする塗布具を備えた容器であって、
前記キャップに容器の内外に通じる貫通孔を設け、この貫通孔にスライド可能に塗布具を抜け止め保持してなることを特徴とする塗布具を備えた化粧料容器である。
【００１０】
上記の構成になる化粧料容器において塗布具は、抜け止め用のストッパーを有しキャップの貫通孔に沿いしごき部材に至るまでの間でスライド可能なロッドと、このロッドの先端部に固定保持されスライド代を残したままで容器本体の底部に到達して内容物を塗布可能に保持する塗布部からなるものが好ましい。
【００１１】
【発明の実施の形態】
以下、図面を用いて本発明をより具体的に説明する。
【００１２】
図１は本発明に従う化粧料容器の実施の形態を示したものであり、図における１は内容物を収納する容器本体である。容器本体１はこの例では筒体１ａとこの筒体１ａの開口端に適合して容器の口部を形成するリング部材１ｂからなる。
【００１３】
また、２は筒体１ａとリング部材１ｂとによって挟圧支持されたしごき部材（ゴム等の軟材にて構成できる）、３は容器本体１の口部にねじあるいはアンダーカットによって着脱自在に固定保持され容器本体１を密閉するキャップであり、このキャップ３には容器の内外に通じる貫通孔３ａが設けられている。
【００１４】
４はキャップ３の貫通孔３ａにＯリング等により液密状態でスライド可能に嵌め込まれた塗布具である。この塗布具４は抜け止め用のストッパーｓ、ｓ１を有しキャップ３の貫通孔３ａに沿いしごき部材２に至るまでの間でスライド可能とするロッド４ａと、このロッド４ａの先端部に固定保持されスライド代Ｌをのこしたままで容器本体１の底部に到達して内容物を塗布可能に保持する塗布部４ｂからなる。
【００１５】
図２に塗布具４をキャップ３とともに容器本体１から引抜き、ロッド４ａを塗布部４ｂ側にスライドさせて最も伸張させた状態（塗布状態と同じ）を示す。
【００１６】
本発明に従う化粧料容器は、塗布具４がキャップ３にスライド可能に保持されており、上掲図１に示すような収納状態でスライド代Ｌを残したままで容器本体１の底部にその先端が到達しているため内容物の残存量にかかわりなく塗布部４ｂに付着させることができる。
【００１７】
また、この状態ではロッド４ａのほぼ全域は内容物が収納された領域までは入り込まず、仮に入り込んだとしてもロッド４ａの先端部位のみに留まるため、ロッド４ａ全域に内容物が付着することはない。
【００１８】
塗布部４ｂに再度内容物を付着させるべく、容器本体１の内側に挿入する場合にはキャップ３を容器本体１の口部１ａに係合させなくても（ねじ込みやアンダーカットによる係合）ロッド４ａを容器本体１の底部に向けてスライドさせるだけ内容物を付着させることが可能で塗布作業を簡便に行い得る。
【００１９】
上掲図１、２では、塗布部４ｂはブラシ状のものを例として示したが、これは櫛状のものや筆状のもの、あるいはスポンジ状のものが適用でき、ブラシ状のものには限定されない。また、図示はしないが、塗布部４ｂをロッド４ａと一体成形することも可能である。
【００２０】
【発明の効果】
本発明によれば、キャップに貫通孔を設けて塗布具をスライドさせるようにしたので、容器構造の複雑化を伴うことなしに容器内の内容物を最後まで使いきることができる。
【００２１】
また、本発明によればロッドがしごき部材を超えない領域で塗布部の先端が容器本体の底部に到達させることが可能でロッドに内容物が付着するのを防止できる。
【００２２】
さらに、本発明によれば、キャップを容器本体の口部に係合させずとも内容物の再付着が可能であり、使い勝手がよく効率的な塗布作業を行い得る。
【図面の簡単な説明】
【図１】本発明に従う化粧料容器の実施の形態を示した図である。
【図２】図１に示したキャップと塗布具を取り出して示した図である。
【符号の説明】
１  容器本体
１ａ  筒体
１ｂ  リング部材
２  しごき部材
３  キャップ
３ａ  貫通孔
４  塗布具
４ａ  ロッド
４ｂ  塗布部
ｓ  ストッパー
ｓ１  ストッパー
Ｌ  スライド代
【図１】
2005021185.tif 000003
【図２】
2005021185.tif 000004